【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
送信元サーバからの情報を受信し、前記受信した情報に基づくメッセージに応じた処理を行うメッセージ処理システムにおいて、
前記送信元サーバと接続されたメッセージ配信装置と、
前記メッセージ配信装置と接続された複数のメッセージ処理装置と、
を備え、
前記メッセージ処理装置は、
メッセージ配信装置から受信したメッセージを処理するメッセージ処理手段と、
前記メッセージ処理手段が処理したメッセージに応じた報知を行う報知手段と、を備え、
前記メッセージ配信装置は、
前記送信元サーバから受信した情報に基づくメッセージを前記複数のメッセージ処理装置に送信する第１の同報送信手段を備え、
前記複数のメッセージ処理装置のうちいずれか１つが、前記報知手段により前記報知を行うことを特徴とするメッセージ処理システム。
【請求項２】
前記メッセージ処理手段は、
前記メッセージ配信装置から受信したメッセージのうち、同種のメッセージをまとめるサマライズ処理を行うサマライズ処理手段を備えることを特徴とする請求項１記載のメッセージ処理システム。
【請求項３】
前記メッセージ処理手段は、前記メッセージ配信装置から受信したメッセージをフィルタリングするフィルタリング処理を行うフィルタリング処理手段を備える
ことを特徴とする請求項１記載のメッセージ処理システム。
【請求項４】
前記フィルタリング処理手段は、
前記メッセージ配信装置から受信したメッセージの重要度に応じてフィルタリング処理を行うことを特徴とする請求項３記載のメッセージ処理システム。
【請求項５】
前記メッセージ処理手段は、
前記フィルタリング処理手段が処理したフィルタリング結果に基づいて、前記メッセージ配信装置から受信したメッセージのうち同種のメッセージをまとめるサマライズ処理を行うサマライズ処理手段
をさらに備えることを特徴とする請求項３記載のメッセージ処理システム。
【請求項６】
前記メッセージ配信装置は、
一の前記メッセージ処理装置を選択し、前記送信元サーバから受信した情報に基づくメッセージを、選択したメッセージ処理装置に設けられたフィルタリング処理手段に送信する選択送信手段をさらに備え、
選択された前記メッセージ処理装置に設けられた前記フィルタリング処理手段は、
前記選択送信手段から受信したメッセージに対して前記フィルタリング処理を行い、前記フィルタリング処理後のメッセージを前記第１の同報送信手段へ送信することを特徴とする請求項５記載のメッセージ処理システム。
【請求項７】
前記送信元サーバは、障害を監視する対象となるサーバであり、
前記情報は、前記サーバに発生した障害の内容を含むエラーメッセージであることを特徴とする請求項１記載のメッセージ処理システム。
【請求項８】
前記メッセージ処理手段は、
他のメッセージ処理装置に設定された所定の情報と自装置に設定された所定の情報とを比較し、自装置に設定された前記所定の情報が所定条件に合致するときに自装置に設けられた前記報知手段により前記報知を行うことを特徴とする請求項１記載のメッセージ処理システム。
【請求項９】
前記報知手段は、
前記メッセージ処理手段が処理したメッセージを、アラートメールとして報知することを特徴とする請求項１記載のメッセージ処理システム。
【請求項１０】
送信元サーバからの情報を受信し、前記受信した情報に基づくメッセージに応じた処理を行うメッセージ処理方法において、
メッセージ配信装置が、前記送信元サーバと接続され、第１の同報送信手段を備え、
複数のメッセージ処理装置が、前記メッセージ配信装置と接続され、メッセージ処理手段と、報知手段とを備え、前記第１の同報送信手段が、前記送信元サーバから受信した情報に基づくメッセージを前記複数のメッセージ処理装置に送信するステップと、メッセージ処理手段が、前記メッセージ配信装置から受信したメッセージを処理するステップと、
前記複数のメッセージ処理装置うちいずれか１つが、前記報知手段により前記メッセージ処理手段が処理したメッセージに応じた報知を行うステップと、
を含むことを特徴とするメッセージ処理方法。
【請求項１１】
前記メッセージ処理手段は、
前記メッセージ配信装置から受信したメッセージのうち、同種のメッセージをまとめるサマライズ処理を行うサマライズ処理手段を備えることを特徴とする請求項１０記載のメッセージ処理方法。
【請求項１２】
前記メッセージ処理手段は、前記メッセージ配信装置から受信したメッセージをフィルタリングするフィルタリング処理を行うフィルタリング処理手段を備える
ことを特徴とする請求項１０記載のメッセージ処理方法。
【請求項１３】
前記フィルタリング処理手段は、
前記メッセージ配信装置から受信したメッセージの重要度に応じてフィルタリング処理を行うことを特徴とする請求項１２記載のメッセージ処理方法。
【請求項１４】
前記メッセージ処理手段は、
前記フィルタリング処理手段が処理したフィルタリング結果に基づいて、前記メッセージ配信装置から受信したメッセージのうち同種のメッセージをまとめるサマライズ処理を行うサマライズ処理手段
をさらに備えることを特徴とする請求項１２記載のメッセージ処理方法。
【請求項１５】
前記メッセージ配信装置は、
一の前記メッセージ処理装置を選択し、前記送信元サーバから受信した情報に基づくメッセージを、選択したメッセージ処理装置に設けられたフィルタリング処理手段に送信する選択送信手段をさらに備え、
選択された前記メッセージ処理装置に設けられた前記フィルタリング処理手段は、
前記選択送信手段から受信したメッセージに対して前記フィルタリング処理を行い、前記フィルタリング処理後のメッセージを前記第１の同報送信手段へ送信することを特徴とする請求項１４記載のメッセージ処理方法。
【請求項１６】
前記送信元サーバは、障害を監視する対象となるサーバであり、
前記情報は、前記サーバに発生した障害の内容を含むエラーメッセージであることを特徴とする請求項１０記載のメッセージ処理方法。
【請求項１７】
前記メッセージ処理手段は、
他のメッセージ処理装置に設定された所定の情報と自装置に設定された所定の情報とを比較し、自装置に設定された前記所定の情報が所定条件に合致するときに自装置に設けられた前記報知手段により前記報知を行うことを特徴とする請求項１０記載のメッセージ処理方法。
【請求項１８】
前記報知手段は、
前記メッセージ処理手段が処理したメッセージを、アラートメールとして報知することを特徴とする請求項１０記載のメッセージ処理方法。
【請求項１９】
メッセージ配信装置及び複数のメッセージ処理装置を有し、前記メッセージ配信装置が、送信元サーバと接続され、第１の同報送信手段を備え、前記複数のメッセージ処理装置が、前記メッセージ配信装置と接続され、メッセージ処理手段と、報知手段とを備え、
前記第１の同報送信手段が、前記送信元サーバから受信した情報に基づくメッセージを前記複数のメッセージ処理装置に送信するメッセージ処理システムにおける前記メッセージ処理装置として機能するコンピュータに、
メッセージ処理手段が、前記第１の同報送信手段から受信したメッセージを処理するステップと、
前記複数のメッセージ処理装置のいずれか１つの前記報知手段が、前記メッセージ処理手段が処理したメッセージに応じた報知を行うステップと、
を実行させるプログラム。
【請求項２０】
前記メッセージ処理手段は、
前記メッセージ配信装置から受信したメッセージのうち、同種のメッセージをまとめるサマライズ処理を行うサマライズ処理手段を備えることを特徴とする請求項１９記載のプログラム。
【請求項２１】
前記メッセージ処理手段は、前記メッセージ配信装置から受信したメッセージをフィルタリングするフィルタリング処理を行うフィルタリング処理手段を備える
ことを特徴とする請求項１９記載のプログラム。
【請求項２２】
前記フィルタリング処理手段は、
前記メッセージ配信装置から受信したメッセージの重要度に応じてフィルタリング処理を行うことを特徴とする請求項２１記載のプログラム。
【請求項２３】
前記メッセージ処理手段は、
前記フィルタリング処理手段が処理したフィルタリング結果に基づいて、前記メッセージ配信装置から受信したメッセージのうち同種のメッセージをまとめるサマライズ処理を行うサマライズ処理手段
をさらに備えることを特徴とする請求項２１記載のプログラム。
【請求項２４】
前記メッセージ配信装置は、
一の前記メッセージ処理装置を選択し、前記送信元サーバから受信したメッセージを、選択したメッセージ処理装置に設けられたフィルタリング処理手段に送信する選択送信手段をさらに備え、
選択された前記メッセージ処理装置に設けられた前記フィルタリング処理手段は、
前記選択送信手段から受信したメッセージに対して前記フィルタリング処理を行い、前記フィルタリング処理後のメッセージを前記第１の同報送信手段へ送信することを特徴とする請求項２３記載のプログラム。
【請求項２５】
前記送信元サーバは、障害を監視する対象となるサーバであり、
前記情報は、前記サーバに発生した障害の内容を含むエラーメッセージであることを特徴とする請求項１９記載のプログラム。
【請求項２６】
前記メッセージ処理手段は、
他のメッセージ処理装置に設定された所定の情報と自装置に設定された所定の情報とを比較し、自装置に設定された前記所定の情報が所定条件に合致するときに自装置に設けられた前記報知手段により前記報知を行うことを特徴とする請求項１９記載のプログラム。
【請求項２７】
前記報知手段は、
前記メッセージ処理手段が処理したメッセージを、アラートメールとして報知することを特徴とする請求項１９記載のプログラム。
【手続補正２】
【補正対象書類名】明細書
【補正対象項目名】００１１
【補正方法】変更
【補正の内容】
【００１１】
本発明では上記問題を解決するために、送信元サーバからの情報を受信し、前記受信した情報に基づくメッセージに応じた処理を行うメッセージ処理システムにおいて、前記送信元サーバと接続されたメッセージ配信装置と、前記メッセージ配信装置と接続された複数のメッセージ処理装置とを備え、前記メッセージ処理装置は、メッセージ配信装置から受信したメッセージを処理するメッセージ処理手段と、前記メッセージ処理手段が処理したメッセージに応じた報知を行う報知手段とを備え、前記メッセージ配信装置は、前記送信元サーバから受信した情報に基づくメッセージを前記複数のメッセージ処理装置に送信する第１の同報送信手段を備え、前記複数のメッセージ処理装置のうちいずれか１つが、前記報知手段により前記報知を行うことを特徴とするメッセージ処理システムが提供される。
【手続補正３】
【補正対象書類名】明細書
【補正対象項目名】００１２
【補正方法】変更
【補正の内容】
【００１２】
これにより、前記メッセージ配信装置と接続された複数のメッセージ処理装置のそれぞれに設けられたメッセージ処理手段が、メッセージ配信装置から受信したメッセージを処理し、報知手段が、前記メッセージ処理手段が処理したメッセージに応じた報知を行う。また、前記送信元サーバと接続されたメッセージ配信装置のそれぞれに設けられた第１の同報送信手段が、前記送信元サーバから受信したメッセージを前記複数のメッセージ処理装置に送信する。また、前記複数のメッセージ処理装置のうちいずれか１つが、前記報知手段により前記報知を行う。
【手続補正４】
【補正対象書類名】明細書
【補正対象項目名】００５２
【補正方法】変更
【補正の内容】
【００５２】
トピック１２２については、送信元１６０はフィルタ部１３１であり、受信者１７１、１７２はすべてのサマライズ部１３２である。トピック１２４については、送信元１６０はサマライズ部１３２であり、受信者１７１、１７２は送信元１６０以外のすべてのサマライズ部１３２である。